(57)【要約】【課題】隣接するパネル間の段差を容易に調整することが可能な段差調整装置を提供する。【解決手段】隣接する妻壁パネル１１Ａ，１１Ｂ間の段差を調整する段差調整装置である。  そして、段差を調整する基準側となる妻壁パネル１１Ａの上端面１１１と位置が調整される妻壁パネル１１Ｂの上端面１１１とに跨る長さを有する板状の本体部３と、妻壁パネル１１Ａの上端面に本体部を固定するための固定ネジ部（１５，３６）と、妻壁パネル１１Ｂの上端面に設けられたネジ穴を有する開口部と、本体部に穿孔された調整穴及びネジ穴にねじ込まれる調整ボルト４とを備えている。【選択図】図１
2018035661.tif 000002
【特許請求の範囲】
【請求項１】
隣接するパネル間の段差を調整する段差調整装置であって、
段差を調整する基準側となる第１のパネルの端面と位置が調整される第２のパネルの端面とに跨る長さを有する長尺状の本体部と、
前記第１のパネルの端面に前記本体部を固定するための固定ネジ部と、
前記第２のパネルの端面に設けられたネジ穴を有する開口部と、
前記本体部に穿孔された調整穴及び前記ネジ穴にねじ込まれる調整ボルトとを備えたことを特徴とする段差調整装置。
【請求項２】
前記本体部は、前記第１のパネルの端面に接触させる側が前記第２のパネルの端面に対向させる側よりも厚く形成されていることを特徴とする請求項１に記載の段差調整装置。
【請求項３】
前記固定ネジ部は複数あり、前記本体部は複数箇所で前記第１パネルの端面に固定されることを特徴とする請求項１又は２に記載の段差調整装置。
【請求項４】
前記固定ネジ部は、前記第１のパネルの端面から突出される第１の固定ボルトと、前記第１のパネルの端面に設けられたネジ穴にねじ込まれる第２の固定ボルトであることを特徴とする請求項３に記載の段差調整装置。
【請求項５】
前記本体部に穿孔された前記固定ネジ部及び前記調整ボルトを通す穴の少なくとも１つが、長穴又は馬鹿穴であることを特徴とする請求項１乃至４のいずれか一項に記載の段差調整装置。
【請求項６】
前記本体部に穿孔された前記固定ネジ部を通す穴の少なくとも１つが、前記固定ネジ部を固着可能な穴であることを特徴とする請求項５に記載の段差調整装置。
【請求項７】
請求項１乃至６のいずれか一項に記載の段差調整装置を使用して隣接するパネル間の段差を調整する段差調整方法であって、
前記本体部を前記第１のパネルの端面と前記第２のパネルの端面とに跨るように設置する工程と、
前記固定ネジ部を使って前記本体部を前記第１のパネルの端面に固定する工程と、
前記調整ボルトを前記ネジ穴にねじ込むことで、前記第２のパネルの位置を調整する工程と、
前記第２のパネルの位置をパネル固定手段によって固定する工程と、
前記本体部を撤去する工程とを備えたことを特徴とする段差調整方法。
【発明の詳細な説明】
【技術分野】
【０００１】
本発明は、隣接するパネル間の段差を調整する段差調整装置、及びそれを使用した段差調整方法に関するものである。
【背景技術】
【０００２】
特許文献１に開示されているように、建物の外壁を複数の外壁パネルを並べて形成する場合に、各外壁パネルが正確な位置に設置されていないと、隣接する外壁パネル間でずれが生じて外観や防水機能などが損なわれることになる。
【０００３】
そこで、特許文献１では、上下に配置される外壁パネル間を嵌合ピンで連結する構成にすることによって、ずれを生じ難くしている。また、嵌合ピンに調整ナットを装着しておくことで、上下方向の位置の微調整が行えるようにしている。
【先行技術文献】
【特許文献】
【０００４】
【特許文献１】特許第５２５８６６２号公報
【発明の概要】
【発明が解決しようとする課題】
【０００５】
しかしながら、嵌合ピンをガイドにして外壁パネルの位置合わせをする方法では、嵌合ピンを嵌める際に位置ずれに伴ってせん断力が作用すると、嵌合ピンや外壁パネルの嵌合孔周辺を損傷させてしまうおそれがある。
【０００６】
また、外壁パネルの複数箇所に設けられた嵌合ピンを一度に嵌合孔に嵌め合わせる作業は、一方の外壁パネルが吊り上げられた不安定な状態で行われることになり困難性が高い。
【０００７】
そこで、本発明は、隣接するパネル間の段差を容易に調整することが可能な段差調整装置及び段差調整方法を提供することを目的としている。
【課題を解決するための手段】
【０００８】
前記目的を達成するために、本発明の段差調整装置は、隣接するパネル間の段差を調整する段差調整装置であって、段差を調整する基準側となる第１のパネルの端面と位置が調整される第２のパネルの端面とに跨る長さを有する長尺状の本体部と、前記第１のパネルの端面に前記本体部を固定するための固定ネジ部と、前記第２のパネルの端面に設けられたネジ穴を有する開口部と、前記本体部に穿孔された調整穴及び前記ネジ穴にねじ込まれる調整ボルトとを備えたことを特徴とする。
【０００９】
ここで、前記本体部は、前記第１のパネルの端面に接触させる側が前記第２のパネルの端面に対向させる側よりも厚く形成されている構成とすることができる。
【００１０】
また、前記固定ネジ部は複数あり、前記本体部は複数箇所で前記第１パネルの端面に固定される構成とすることができる。さらに、前記固定ネジ部は、前記第１のパネルの端面から突出される第１の固定ボルトと、前記第１のパネルの端面に設けられたネジ穴にねじ込まれる第２の固定ボルトであることが好ましい。
【００１１】
また、前記本体部に穿孔された前記固定ネジ部及び前記調整ボルトを通す穴の少なくとも１つが、長穴又は馬鹿穴である構成とすることができる。さらに、前記本体部に穿孔された前記固定ネジ部を通す穴の少なくとも１つが、前記固定ネジ部を固着可能な穴であることが好ましい。
【００１２】
また、段差調整方法の発明は、上記いずれかに記載の段差調整装置を使用して隣接するパネル間の段差を調整する段差調整方法であって、前記本体部を前記第１のパネルの端面と前記第２のパネルの端面とに跨るように設置する工程と、前記固定ネジ部を使って前記本体部を前記第１のパネルの端面に固定する工程と、前記調整ボルトを前記ネジ穴にねじ込むことで、前記第２のパネルの位置を調整する工程と、前記第２のパネルの位置をパネル固定手段によって固定する工程と、前記本体部を撤去する工程とを備えたことを特徴とする。
【発明の効果】
【００１３】
このように構成された本発明の段差調整装置及び段差調整方法は、隣接するパネル間に長尺状の本体部を跨らせ、第１のパネルの端面に固定ネジ部で本体部を固定し、第２のパネルの端面に設けられた開口部のネジ穴に調整ボルトをねじ込むことで、第２のパネルの位置を調整する。
【００１４】
このため、２つのパネルを一旦設置した後に、調整ボルトを回すことで隣接するパネル間の段差を容易に調整することができる。また、調整ボルトには、水平外力などの無理な力が作用しないため、損傷させる心配もない。
【００１５】
また、本体部の一方のパネルの端面に接触させる側が厚く形成されていれば、他方のパネルをその厚みの差分だけ余分に移動させることができるようになり、調整の幅を広げることができる。
【００１６】
さらに、第１のパネルの端面に本体部を固定するための固定ネジ部が複数あれば、本体部の浮き上がりや転倒を防ぐことができる。また、固定ボルトの１本が予め第１のパネルの端面から突出されたものであれば、本体部の仮装着を迅速に行うことができる。
【００１７】
さらに、本体部に穿孔された固定ネジ部及び調整ボルトを通す穴の少なくとも１つが長穴又は馬鹿穴であれば、固定ネジ部と調整ボルトの位置が例えばパネルの中心に並んでいなくても、本体部を容易に設置することができる。一方、固定ネジ部を通す穴の１つが固定ネジ部を固着可能な穴であれば、調整ボルトによってパネルを移動させる際の本体部の横ずれを防ぐことができる。
【図面の簡単な説明】
【００１８】
【図１】本実施の形態の段差調整装置を使用した段差調整方法を説明するための斜視図である。
【図２】複数の建物ユニットが隣接して設置された状態を説明する斜視図である。
【図３】妻壁パネル間に段差が発生している状態を示した斜視図である。
【図４】本体部を設置する工程を説明する斜視図である。
【図５】本体部を基準側となる妻壁パネルに固定する工程を説明する斜視図である。
【図６】本体部に調整ボルトを装着する工程を説明する斜視図である。
【図７】妻壁パネルを上昇させる工程を説明する斜視図である。
【図８】本体部及び調整ボルトが装着された状態を説明する断面図である。
【図９】桁壁パネル間に本体部及び調整ボルトを取り付ける工程を説明する斜視図である。
【図１０Ａ】桁壁パネル間に本体部及び調整ボルトが装着された状態を説明する平面図である。
【図１０Ｂ】桁壁パネル間に本体部及び調整ボルトが装着された状態を説明する断面図である。
【図１１】実施例の本体部の構成を説明する斜視図である。
【発明を実施するための形態】
【００１９】
以下、本発明の実施の形態について図面を参照して説明する。図１は、本実施の形態の段差調整装置を使用した段差調整方法を説明するための斜視図である。また、図２はこの段差調整装置によって相対的な位置調整が行われる建物ユニット１Ａ−１Ｃの構成を説明する斜視図である。
【００２０】
この建物ユニット１Ａ−１Ｃによって構成されるユニット建物は、工場で製作される複数の建物ユニット１Ａ，１Ｂ，１Ｃ，・・・を建築現場に搬送し、べた基礎などの基礎部２の上に横方向に並べて１階部を構築するとともに、それらの（下階）建物ユニット１Ａ，１Ｂ，１Ｃ，・・・の上に別の（上階）建物ユニットを積み上げることで上層階が構築される。
【００２１】
建物ユニット１Ａ，１Ｂ，１Ｃは、平面視略長方形の床パネル１３と、床パネル１３の側縁に沿って必要な数だけ設けられるパネルとしての壁パネル（１１，１２）とによって、ボックス状に形成される。
【００２２】
ここで、建物ユニット１Ａは、対向する一対の妻壁パネル１１，１１と、妻壁パネル１１，１１間の一側面を塞ぐ桁壁パネル１２とを備えている。また、建物ユニット１Ｂは、対向する一対の妻壁パネル１１，１１を備え、妻壁パネル１１，１１間の両側面は開放されている。
【００２３】
これらの建物ユニット１Ａ，１Ｂ，１Ｃを設置する基礎部２は、壁パネル（１１，１２）が設置される位置に立上り部２１が形成されており、図１に示すように、妻壁パネル１１の下端部に設けられる土台部１４が、立上り部２１の上面２１１に載せられる。
【００２４】
この立上り部２１の上面２１１からは、図３に示すようにアンカーボルト２２が上方に向けて突出されており、建物ユニット１Ａ−１Ｃは、土台部１４の切欠き部１４１に露出されたアンカーボルト２２に対して、支圧板２３及びナット２２１を装着することによって基礎部２に固定される。このため、段差調整を行う場合は、位置が調整される側のアンカーボルト２２からナット２２１を外しておく。
【００２５】
そして、本実施の形態の段差調整方法では、このような建物ユニット１Ａ，１Ｂを横方向に並べたときに、隣接するパネル間（妻壁パネル１１，１１間、桁壁パネル１２，１２間など）に生じる段差を調整する。
【００２６】
例えば建物ユニット１Ａの隣に建物ユニット１Ｂを設置したときに、図３に示すように、一方の妻壁パネル１１Ａの上端面１１１の高さが隣接する妻壁パネル１１Ｂの上端面１１１の高さよりも高い場合がある。
【００２７】
本実施の形態の段差調整方法では、このような隣接する端面間（上端面１１１，１１１間）の段差を、段差調整装置を使って調整する。ここで、位置を移動させない基準側となるパネルを妻壁パネル１１Ａとし、上下方向に位置を移動（調整）させるパネルを妻壁パネル１１Ｂとして説明する。
【００２８】
本実施の形態の段差調整装置は、図１に示すように、隣接する妻壁パネル１１Ａ，１１Ｂの上端面１１１，１１１に跨る長さを有する板状の本体部３と、本体部３を妻壁パネル１１Ａに固定するための固定ネジ部（１５，３６）と、妻壁パネル１１Ｂの上端面１１１に設けられたネジ穴を有する開口部１６（図３参照）と、その開口部１６のネジ穴にねじ込まれる調整ボルト４と、妻壁パネル１１Ｂの調整後の位置を固定するパネル固定手段となる調整プレート５とによって、主に構成される。
【００２９】
本体部３は、長尺状の長方形板状に鋼板などによって形成される。本体部３は、図４に示すように、基準側である妻壁パネル１１Ａの上端面１１１に接触させる側の板厚が、位置が調整される妻壁パネル１１Ｂの上端面１１１に対向させる側の板厚よりも厚く形成される。この厚い部分を増厚部３５と呼び、鋼板などを積層させることで形成することができる。
【００３０】
増厚部３５は、本体部３の下面側に設け、本体部３の上面３１は平面とする。すなわち本体部３の下面側は、増厚部３５が設けられていない側は凹面３７となる（図８参照）。
【００３１】
そして、本体部３の増厚部３５側には、長手直交方向に長い長穴３２，３２Ａと固定穴３３，３３Ａが穿孔される。長穴３２，３２Ａ及び固定穴３３，３３Ａがそれぞれ複数設けられるのは、一つの本体部３によって様々な箇所の調整が行えるようにするためである。
【００３２】
図４では、ジョイントボルト１５を通すために長穴３２を使用する。このジョイントボルト１５は、建物ユニット１Ａ−１Ｃに上階の建物ユニットを連結させるために使用される。ここで、ジョイントボルト１５は、図８に示すように取付けナット１５３が下端側に装着されており、妻壁パネル１１Ａ，１１Ｂの上端面１１１には、必要に応じて上階の建物ユニットとの間に挟むスペーサ合板１７が配置される。
【００３３】
本実施の形態では、この妻壁パネル１１Ａの上端面１１１から上方に向けて突出されたジョイントボルト１５を、第１の固定ボルトとして使用する。また、長穴３２にジョイントボルト１５を通した際に開口部１６に対峙される固定穴３３が、第２の固定ボルト３６となる固定ネジ部をねじ込むために使用される。
【００３４】
すなわち、図５に示すように、本体部３の長穴３２を通って上方に突出したジョイントボルト１５には、座金１５２とナット１５１を装着して本体部３を妻壁パネル１１Ａに固定させる。
【００３５】
さらには、固定穴３３に固定ボルト３６をねじ込むことで、２箇所目の妻壁パネル１１Ａへの固定が行われる。この固定穴３３は、固定ボルト３６の軸部の外径に対してほとんどクリアランスのない固着可能な穴に形成することができる。
【００３６】
また、本体部３には、図４に示すように、長穴３２Ａに隣接して複数の木ネジ穴３８，・・・も穿孔される。一方、本体部３の凹面３７側には、調整ボルト４を通すための調整穴３４が穿孔される。
【００３７】
調整穴３４は、調整ボルト４の軸部の外径に対してクリアランスのある馬鹿穴とすることができる。そして、調整ボルト４は、図６に示すように、座金４１を介して本体部３の調整穴３４及び開口部１６のネジ穴にねじ込まれる。
【００３８】
開口部１６には、図８に示すように、枠状金具１６０の上端に固着ナット１６１が溶接によって取り付けられており、固着ナット１６１の雌ネジ溝を有する穴がネジ穴となる。そして、本体部３によって高さが一定に保たれた調整ボルト４の頭部を締め付けると、調整ボルト４が固着ナット１６１にねじ込まれて、ネジの推力によって妻壁パネル１１Ｂが上昇することになる。
【００３９】
次に、本実施の形態の段差調整装置を使用して行われる断差調整方法について説明する。まず、図１−図８を参照しながら、妻壁パネル１１Ａ，１１Ｂ間の段差調整方法について説明する。
【００４０】
まず、図３に示すように、位置調整を行う側の妻壁パネル１１Ｂの土台部１４の切欠き部１４１において、アンカーボルト２２からナット２２１を外し、妻壁パネル１１Ｂを上下方向に移動可能な状態にする。一方、基準側となる妻壁パネル１１Ａは、アンカーボルト２２に固定されたままの状態にしておく。
【００４１】
続いて図４に示すように、本体部３の長穴３２に妻壁パネル１１Ａの上端面１１１から突出したジョイントボルト１５を通す。ここで、ジョイントボルト１５の突出位置と上端面１１１に設けられた開口部１６の位置とが、妻壁パネル１１Ａの壁厚方向で異なっていても、長穴３２にジョイントボルト１５を通すのであれば、長穴３２の範囲内で調整して妻壁パネル１１Ａの壁芯と略平行となるように本体部３を向けることができる。
【００４２】
そして、図５に示すように、長穴３２から突出したジョイントボルト１５には、座金１５２を装着し、ナット１５１を締め付けることで固定を行う。また、本体部３の固定穴３３に対しては、固定ボルト３６を開口部１６に向けてねじ込むことで固定を行う。このように複数箇所で固定された本体部３は、妻壁パネル１１Ｂ側に張り出された部分に大きな力が作用しても、浮き上がったり傾いたりしにくく、強固に固定された状態になる。
【００４３】
そして、図６に示すように、妻壁パネル１１Ｂ側に張り出された本体部３には、調整穴３４の上に座金４１を置いて、調整ボルト４を調整穴３４とそれに対峙する開口部１６に向けてねじ込む。
【００４４】
続いて調整ボルト４を締め付けると、調整ボルト４が開口部１６のネジ穴にねじ込まれて、図７に示すように、妻壁パネル１１Ｂがボルトの推力によって上昇し始める。図８に示すように妻壁パネル１１Ｂは、凹面３７の窪み分だけ、隣接する妻壁パネル１１Ａよりも高い位置まで上昇させることができる。
【００４５】
そして、妻壁パネル１１Ａより2mm−3mm程度高い位置まで妻壁パネル１１Ｂを上昇させた状態で、図１に示すように、パネル固定手段となる調整プレート５を、上昇した土台部１４の底面と基礎部２の上面２１１との隙間に挿し込む。
【００４６】
調整プレート５には、Ｕ字部５１となる切り込みが設けられており、このＵ字部５１をアンカーボルト２２の側方に当てる。調整プレート５は、妻壁パネル１１Ｂの高さを妻壁パネル１１Ａの高さに合わせた際の土台部１４の底面と基礎部２の上面２１１との離隔を埋めるのに必要な枚数だけ挿し込まれる。
【００４７】
このようにして調整プレート５が挿し込まれた後に、調整ボルト４を緩めて外す。調整ボルト４を外しても、調整プレート５が土台部１４と上面２１１との間に介在されているので、妻壁パネル１１Ｂは妻壁パネル１１Ａと高さ位置が揃った状態（段差がない状態）で固定されることになる。
【００４８】
そこで、妻壁パネル１１Ａ側の固定ボルト３６及びナット１５１も緩めて外す。さらには、本体部３も撤去する。このようにして撤去された本体部３、固定ボルト３６及び調整ボルト４を使って、図９に示すように、桁壁パネル１２Ａ，１２Ｂ間の段差調整を行う。ここで、位置を移動させない基準側となるパネルを桁壁パネル１２Ａとし、上下方向に位置を移動（調整）させるパネルを桁壁パネル１２Ｂとして説明する。
【００４９】
基準側の桁壁パネル１２Ａの端面となる上端面１２１に対して本体部３の増厚部３５側を設置し、固定ボルト３６を開口部１６のネジ穴にねじ込んで固定を行う。また、木ネジ穴３８，・・・に対しては、固定ネジ部としての木ネジ６，・・・をそれぞれねじ込んで、本体部３の端部を桁壁パネル１２Ａの上端面１２１に固定する。要するに、ジョイントボルト１５が本体部３の届く範囲に突出されていなくても、木ネジ６を木ネジ穴３８にねじ込むことによって固定することができる。
【００５０】
そして、位置が調整される桁壁パネル１２Ｂ側に張り出された本体部３には、調整穴３４の上に座金４１を置いて、調整ボルト４を調整穴３４とそれに対峙する桁壁パネル１２Ｂの開口部１６に向けてねじ込む。
【００５１】
図１０Ａ及び図１０Ｂは、桁壁パネル１２Ａ，１２Ｂの上端面１２１，１２１間に本体部３を跨らせ、桁壁パネル１２Ａに固定ボルト３６と木ネジ６，・・・とによって本体部３を固定するとともに、調整ボルト４が桁壁パネル１２Ｂのネジ穴が設けられた固着ナット１６１にねじ込まれた状態を示す平面図及び断面図である。
【００５２】
このようにしてセットされた段差調整装置を使用して桁壁パネル１２Ａ，１２Ｂ間の段差を調整する方法については、上述した妻壁パネル１１Ａ，１１Ｂ間の段差調整方法と同じであるため、説明を省略する。
【００５３】
次に、本実施の形態の段差調整装置及びそれを使った段差調整方法の作用について説明する。
【００５４】
このように構成された本実施の形態の段差調整装置は、隣接するパネル（１１Ａ，１１Ｂ又は１２Ａ，１２Ｂ）間に板状の本体部３を跨らせ、基準側となるパネル（１１Ａ，１２Ａ）の上端面１１１，１２１に対して、固定ネジ部となるジョイントボルト１５、固定ボルト３６又は木ネジ６で本体部３を固定する。
【００５５】
そして、位置が調整される側のパネル（１１Ｂ，１２Ｂ）の上端面１１１，１２１に設けられた開口部１６のネジ穴に対して調整ボルト４をねじ込むことで、パネル（１１Ｂ，１２Ｂ）の位置を調整する。
【００５６】
このため、２つのパネル（１１Ａ，１１Ｂ又は１２Ａ，１２Ｂ）を一旦、隣接して設置させた後に、本体部３を跨らせて調整ボルト４を回すことで、パネル間の段差を容易に調整することができる。
【００５７】
そして、段差を調整することによって、隣接するパネル（１１Ａ，１１Ｂ又は１２Ａ，１２Ｂ）のそれぞれに設けられている外壁の模様や水平目地位置などを合せることができる。すなわち、段差調整とは、隣接するパネル（１１Ａ，１１Ｂ又は１２Ａ，１２Ｂ）の上端面（１１１，１１１又は１２１，１２１）の高さを一致させることのみを指すのではなく、段差の量を調整することも含まれる。特に、調整ボルト４のねじ込み量で段差の量を調整できるので、1mm単位の微調整が可能になる。
【００５８】
さらに、本実施の形態の段差調整装置を使用して壁パネル（１１Ａ，１１Ｂ又は１２Ａ，１２Ｂ）間の段差を調整する段差調整方法であれば、パネル（１１Ｂ，１２Ｂ）を上昇させる作業は壁上部で行うことができ、リフトアップを維持させたままの状態で調整プレート５を挿し込むことができるので、作業員が一人でも実施することができる。
【００５９】
また、本体部３と調整ボルト４と固定ボルト３６とによって主に構成される段差調整装置は、嵩張ることがなく容易に持ち運ぶことができる。さらに、位置調整後は取り外して、繰り返し再利用することができる。そして、六角ボルトや六角ナットを使用して固定ボルト３６や調整ボルト４などを構成するのであれば、市販の工具が利用でき、特殊な工具を必要としない。
【００６０】
また、静置されたパネル（１１Ｂ，１２Ｂ）に対して調整ボルト４をねじ込むことになるので、吊下げ時のような不安定な状態で嵌合を行う場合のように無理な水平外力が作用することがないため、調整ボルト４やパネル（１１Ｂ，１２Ｂ）などを損傷させる心配もない。
【００６１】
また、基準側のパネル（１１Ａ，１２Ａ）の上端面１１１，１２１に本体部３を固定するための固定ネジ部がジョイントボルト１５と固定ボルト３６又はジョイントボルト１５と木ネジ６などのように複数であれば、面状に広がった固定領域となって本体部３の浮き上がりや転倒を防ぐことができる。
【００６２】
さらに、ジョイントボルト１５のように予めパネル（１１Ａ，１２Ａ）の上端面１１１，１２１から突出された固定ボルトであれば、本体部３の長穴３２に通すだけで仮装着を迅速に行うことができる。
【００６３】
また、本体部３が、基準側のパネル（１１Ａ，１２Ａ）の上端面１１１，１２１に接触させる側が増厚部３５となって厚く形成されていれば、位置が調整される側のパネル（１１Ｂ，１２Ｂ）をその厚みの差分（凹面３７分）だけ余分に移動させることができるようになる。
【００６４】
この結果、調整プレート５を基礎部２の上面２１１と土台部１４の底面との間に挿し込む作業が行いやすくなる。また、調整ボルト４の締め付けによって本体部３の張出し側が垂れ下がったとしても、増厚部３５の厚さ分の撓みで抑えることができれば、隣接する上端面（１１１，１１１又は１２１，１２１）の高さを一致させることができる。
【００６５】
さらに、本体部３に穿孔されたジョイントボルト１５や調整ボルト４を通す穴の少なくとも１つが長穴３２，３２Ａ又は馬鹿穴であれば、クリアランスの分だけ固定位置を横にずらすことができるので、固定ボルト３６や調整ボルト４をねじ込むための開口部１６がジョイントボルト１５と同じ壁芯に並んでいなくても、本体部３を容易に設置することができる。
【００６６】
一方、固定ボルト３６を通す本体部３の固定穴３３が固定ボルト３６の外径と略同じ内径の穴であれば、調整ボルト４を締め付ける際に本体部３に水平方向の力が作用しても、本体部３に横ずれが起きることを防ぐことができる。
【００６７】
また、本体部３に長穴３２，３２Ａや固定穴３３，３３Ａをそれぞれ複数設けておくことで、妻壁パネル１１Ａ，１１Ｂ間と桁壁パネル１２Ａ，１２Ｂ間又は１階と２階などで、ジョイントボルト１５と開口部１６との位置関係が異なっていても、すべて同じ本体部３を使って調整することができる。
【実施例】
【００６８】
以下、前記した実施の形態とは別の形態の実施例について、図１１を参照しながら説明する。なお、前記実施の形態で説明した内容と同一乃至均等な部分の説明については、同一用語又は同一符号を付して説明する。
【００６９】
本実施例では、前記実施の形態とは別の形態の本体部７について説明する。この本体部7は、隣接する妻壁パネル１１Ａ，１１Ｂの上端面１１１，１１１に跨る長さを有する長尺状に形成される。
【００７０】
本体部７は、長方形板状の第１部７１１と、間隔を置いて配置される長方形板状の第２部７１２と、第１部７１１と第２部７１２とを連結させる棒状の連結部７３とによって、主に構成される。この本体部７は、前記実施の形態で説明した本体部３と同程度の曲げ剛性を有している。
【００７１】
また、本体部７は、基準側である妻壁パネル１１Ａの上端面１１１に接触させる側の板厚が、位置が調整される妻壁パネル１１Ｂの上端面１１１に対向させる側の板厚よりも厚く形成される。この厚い部分を増厚部７５と呼び、第１部７１１に鋼板などを積層させることで形成することができる。
【００７２】
そして、本体部７の第１部７１１には、長手直交方向に長い長穴７２と固定ボルト３６が通される固定穴が穿孔される。一方、本体部７の第２部７１２には、調整ボルト４を通すための調整穴が穿孔される。
【００７３】
このように、本体部７の構成は前記実施の形態で説明した本体部３のような板状に限定されるものではなく、任意の形態を選択することができる。なお、他の構成及び作用効果については、前記実施の形態と略同様であるので説明を省略する。
【００７４】
以上、図面を参照して、本発明の実施の形態を詳述してきたが、具体的な構成は、この実施の形態に限らず、本発明の要旨を逸脱しない程度の設計的変更は、本発明に含まれる。
【００７５】
例えば、前記実施の形態では、隣接する壁パネル（１１Ａ，１１Ｂ又は１２Ａ，１２Ｂ）間の上下方向の段差を調整する場合について説明したが、これに限定されるものではなく、隣接する床パネルの側面を端面として水平方向（出入り）の調整を行う場合や、床面を端面として上下方向の段差を調整する場合にも、本実施の形態の段差調整装置を適用することができる。
【００７６】
また、前記実施の形態では、パネル固定手段として調整プレート５を例に説明したが、これに限定されるものではなく、調整されたパネルの位置が移動しないように固定できる手段であれば、いずれの形態であってもよい。
【符号の説明】
【００７７】
１１，１１Ａ，１１Ｂ  妻壁パネル（パネル）
１１１          上端面（端面）
１２，１２Ａ，１２Ｂ  桁壁パネル（パネル）
１２１          上端面（端面）
１５            ジョイントボルト（固定ネジ部、第１の固定ボルト）
１６            開口部
３              本体部
３２，３２Ａ    長穴
３３，３３Ａ    固定穴
３４            調整穴
３５            増厚部
３６            固定ボルト（固定ネジ部、第２の固定ボルト）
４              調整ボルト
５              調整プレート（パネル固定手段）
６              木ネジ（固定ネジ部）
７              本体部
７２            長穴
７５            増厚部
【図１】
2018035661.tif 000003
【図２】
2018035661.tif 000004
【図３】
2018035661.tif 000005
【図４】
2018035661.tif 000006
【図５】
2018035661.tif 000007
【図６】
2018035661.tif 000008
【図７】
2018035661.tif 000009
【図８】
2018035661.tif 000010
【図９】
2018035661.tif 000011
【図１０Ａ】
2018035661.tif 000012
【図１０Ｂ】
2018035661.tif 000013
【図１１】
2018035661.tif 000014